(57)【特許請求の範囲】
【請求項１】
ゲーム機の筐体側に固定される固定部材と、該固定部材にピンと軸受部との嵌合により回動可能に支持されゲーム機の前扉側に取り付けられる可動部材と、を備えたゲーム機用蝶番において、
該固定部材は縦長の固定取付板の上部と下部に上突出支持部と下突出支持部を設けて形成され、
該可動部材は縦長の可動取付板の上部と下部に上突出板部と下突出板部を設けて形成され、
該固定取付板の該上突出支持部に上ピンが下向きに突設されるとともに、該下突出支持部に下ピンが上向きに突設され、
該可動部材の上突出板部上に固定部材側の上ピンを軸支する軸受部材が設けられるとともに、該軸受部材の軸受孔の一部を開閉する回動部材が回動可能に取り付けられ、該可動部材の下部に設けた下突出板部上には固定部材側の下ピンを軸支する下軸受孔が設けられ、
該固定取付板の内側に、縦長の第１補強部材が縦方向に沿って固定され、該可動取付板の内側に、縦長の第２補強部材が縦方向に沿って固定され、
該前扉の閉鎖時に、相互に嵌合して該前扉の上下左右方向及び前後方向への移動をロックする嵌合部が該第１補強部材及び該第２補強部材に設けられ、
該嵌合部として、該第１補強部材に、複数の嵌合ピンが突設され、該第２補強部材には、該第１補強部材の嵌合ピンが嵌合可能な嵌合孔部が設けられたことを特徴とするゲーム機用蝶番。
【請求項２】
ゲーム機の筐体側に固定される固定部材と、該固定部材にピンと軸受部との嵌合により回動可能に支持されゲーム機の前扉側に取り付けられる可動部材と、を備えたゲーム機用蝶番において、
該固定部材は縦長の固定取付板の上部と下部に上突出支持部と下突出支持部を設けて形成され、
該可動部材は縦長の可動取付板の上部と下部に上突出板部と下突出板部を設けて形成され、
該固定取付板の該上突出支持部に上ピンが下向きに突設されるとともに、該下突出支持部に下ピンが上向きに突設され、
該可動部材の上突出板部上に固定部材側の上ピンを軸支する軸受部材が設けられるとともに、該軸受部材の軸受孔の一部を開閉する回動部材が回動可能に取り付けられ、該可動部材の下部に設けた下突出板部上には固定部材側の下ピンを軸支する下軸受孔が設けられ、
該固定取付板の内側に、縦長の第１補強部材が縦方向に沿って固定され、該可動取付板の内側に、縦長の第２補強部材が縦方向に沿って固定され、
該前扉の閉鎖時に、相互に嵌合して該前扉の上下左右方向及び前後方向への移動をロックする嵌合部が該第１補強部材及び該第２補強部材に設けられ、
該嵌合部として、該第１補強部材に、複数の略コ字状の嵌合枠部が突設され、該第２補強部材には、該第１補強部材の嵌合枠部が嵌合可能な方形孔部が設けられたことを特徴とするゲーム機用蝶番。
【請求項３】
前記固定取付板の縁部には縦方向に沿って当接壁部が設けられ、前記可動取付板の縁部には、前記可動部材の閉動作時に該当接壁部に当接する閉鎖壁部が縦方向に沿って設けられたことを特徴とする請求項１または２記載のゲーム機用蝶番。
【発明の詳細な説明】
【技術分野】
【０００１】
本発明は、スロットマシン、パチンコ機などのゲーム機の前扉（前枠）を筐体（本体枠）に対し開閉自在に取り付ける着脱式のゲーム機用蝶番に関する。
【背景技術】
【０００２】
パチンコ機などのゲーム機の前枠を本体枠に対し開閉自在に取り付ける蝶番として、上部に取り付けられる上部蝶番と下部に取り付けられる下部蝶番からなる構造の蝶番が、通常、使用されている。この蝶番は、上部蝶番、下部蝶番共に固定部と可動部とに分かれて形成され、ピンと軸受部の嵌合により可動部側が固定部側に対し回動可能に支持される。
【０００３】
つまり、上部蝶番の固定部は本体枠の上角部に固定され、上部蝶番の可動部は前枠の上角部に固定され、下部蝶番の固定部は本体枠の下角部に固定され、下部蝶番の可動部は前枠の下角部に固定される。そして、前枠を本体枠に対し取り付ける場合、前枠を持ってその下部蝶番の可動部を本体枠側の固定部にピンと軸受の嵌合により嵌め込み、同時に、その上部蝶番の可動部を本体枠側の固定部にピンと軸受の嵌合により嵌め込む。
【０００４】
このために、前枠を本体枠に対し装着する際には、上角部と下角部に設けた両蝶番のピンと軸受を上下同時に嵌め合わせて行なう必要があり、加えて、ゲーム機の前枠には、各種の機械機器、電気機器が数多く取り付けられており、前枠の重量は非常に重い。また、これらの前枠は、作業者の手作業により本体枠側に装着されるため、このような前枠の取り付け作業は、かなり難しく、労力を必要とし、ピンと軸受の嵌合が良好にできない場合には、蝶番や他の部材を傷つけてしまうなどの不具合があった。
【０００５】
そこで、本出願人は、従来、下記特許文献１などにおいて、パチンコ機等のゲーム機の前扉と筐体に、着脱可能に固定される蝶番の可動部材と固定部材を、容易に嵌合して組み付けることができるようにしたゲーム機用蝶番を提案している。
【０００６】
このゲーム機用蝶番は、ゲーム機の筐体側に固定される固定部材と、固定部材にピンと軸受部との嵌合により回動可能に支持されゲーム機の前扉側に取り付けられる可動部材と、を備え、固定部材の上部に設けた上突出支持部に上ピンが下向きに突設され、固定部材の下部に設けた下突出支持部に下ピンが上向きに突設され、可動部材の上部に設けた上突出板部上に固定部材側の上ピンを軸支する軸受部材が設けられる。さらに、軸受部材の軸受孔の一部を開閉する回動部材が回動可能に取り付けられ、可動部材の下部に設けた下突出板部上には固定部材側の下ピンを軸支する軸受孔が設けられ、可動部材側の下突出板部の軸受孔を固定部材側の下突出支持部上の下ピンに嵌合した状態で、固定部材側の上ピンを可動部材側の上突出板部の軸受部材の軸受孔に、回動部材を開口側に回動させながら嵌合させるように構成される。
【先行技術文献】
【特許文献】
【０００７】
【特許文献１】特開２００４−１６３５５号公報
【発明の概要】
【発明が解決しようとする課題】
【０００８】
しかし、このゲーム機用蝶番は、パチンコ機等のゲーム機の前扉を筐体に対し開閉可能に組み付ける際、可動部材側の下突出板部の軸受孔を固定部材側の下突出支持部上の下ピンに嵌合した状態で、固定部材側の上ピンを可動部材側の上突出板部の軸受部材の軸受孔に、回動部材を開口側に回動させながら嵌合させることにより、蝶番の可動部材と固定部材を、容易に嵌合して組み付けることができるものの、その構造上、蝶番の上ピンと下ピンの平面位置が、前扉と筐体の角部より前に偏位して（オフセットして）位置しているため、前扉を閉鎖した状態において、蝶番側の角部間で隙間が生じやすい。そのために、上記ゲーム機用蝶番では、固定部材と可動部材の縦フレーム部に、当接壁部と閉鎖壁部を設け、前扉を閉鎖したとき、固定部材の当接壁部と可動部材の閉鎖壁部が当接する構造とし、隙間が生じないようにしている。
【０００９】
然るに、前扉の閉鎖時、固定部材の当接壁部と可動部材の閉鎖壁部を当接させて、蝶番側の隙間を最小にして前扉を閉鎖したとしても、ゲーム機の性質上、バールなどの不正器具により、その隙間を押し広げて不正にこじ開ける可能性があり、ゲーム機用蝶番では、その取付位置の前扉と筐体の角部間で、不正なこじ開けの防止対策が要望されていた。
【００１０】
本発明は、上記の点に鑑みてなされたもので、前扉と筐体間の隙間のこじ開けを防止することができるゲーム機用蝶番を提供することを目的とする。
【課題を解決するための手段】
【００１１】
上記目的を達成するために、本発明のゲーム機用蝶番は、
ゲーム機の筐体側に固定される固定部材と、該固定部材にピンと軸受部との嵌合により回動可能に支持されゲーム機の前扉側に取り付けられる可動部材と、を備えたゲーム機用蝶番において、
該固定部材は縦長の固定取付板の上部と下部に上突出支持部と下突出支持部を設けて形成され、
該可動部材は縦長の可動取付板の上部と下部に上突出板部と下突出板部を設けて形成され、
該固定取付板の該上突出支持部に上ピンが下向きに突設されるとともに、該下突出支持部に下ピンが上向きに突設され、
該可動部材の上突出板部上に固定部材側の上ピンを軸支する軸受部材が設けられるとともに、該軸受部材の軸受孔の一部を開閉する回動部材が回動可能に取り付けられ、該可動部材の下部に設けた下突出板部上には固定部材側の下ピンを軸支する下軸受孔が設けられ、
該固定取付板の内側に、縦長の第１補強部材が縦方向に沿って固定され、該可動取付板の内側に、縦長の第２補強部材が縦方向に沿って固定され、
該前扉の閉鎖時に、相互に嵌合して該前扉の上下左右方向及び前後方向への移動をロックする嵌合部が該第１補強部材及び該第２補強部材に設けられ、
該嵌合部として、該第１補強部材に、複数の嵌合ピンが突設され、該第２補強部材には、該第１補強部材の嵌合ピンが嵌合可能な嵌合孔部が設けられたことを特徴とする。
また、別のゲーム機用蝶番は、該嵌合部として、該第１補強部材に、複数の略コ字状の嵌合枠部が突設され、該第２補強部材には、該第１補強部材の嵌合枠部が嵌合可能な方形孔部が設けられたことを特徴とする。
【００１２】
この発明によれば、筐体に対し前扉を閉鎖したとき、固定部材に固定した第１補強部材と可動部材に固定した第２補強部材の嵌合部が相互に嵌合し、前扉の上下左右方向及び前後方向への移動をロックするとともに、第１補強部材が固定部材を補強し第２補強部材が可動部材を補強しているので、筐体と前扉間の蝶番側の隙間をバール等な不正器具でこじ開けようとしても、第１補強部材と第２補強部材の嵌合部の嵌合により開くことができず、バールなどによる不正解錠を防止することができる。
【００１３】
また、蝶番の補強部材として第１補強部材と第２補強部材を固定部材と可動部材に固定するので、すでに設計されている既存の蝶番に対しても、簡単に適用することができことができる。
【００１４】
また、第１補強部材に複数の嵌合ピンを突設し、第２補強部材に第１補強部材の嵌合ピンが嵌合可能な嵌合孔部を設け、或いは第１補強部材に複数の略コ字状の嵌合枠部を突設し、第２補強部材に第１補強部材の嵌合枠部が嵌合可能な方形孔部を設けているので、前扉を閉鎖したとき、嵌合ピンが嵌合孔部に嵌合し、或いは嵌合枠部が方形孔部に嵌合して、前扉の上下左右方向及び前後方向への移動が完全にロックされ、バールなどによる不正解錠を防止することができる。
【００１５】
さらに、上記固定取付板の縁部には縦方向に沿って当接壁部を設け、上記可動取付板の縁部には、可動部材の閉動作時に固定部材側の当接壁部に当接する閉鎖壁部を縦方向に沿って設けることが好ましい。
【００１６】
これによれば、前扉を閉じたとき、可動部材の閉鎖壁部が固定側の当接壁部に当接し、筐体と前扉との間に生じやすい隙間を最小とし、バールなどの不正器具の不正な差し込みを防止することができる。
【発明の効果】
【００１７】
本発明のゲーム機用蝶番によれば、筐体に対し前扉を閉鎖した状態で、筐体と前扉間の蝶番側の隙間から、バールなどの不正器具を差し込み、前扉をこじ開けようとする不正行為を、効果的に防止することができる。
【図面の簡単な説明】
【００１８】
【図１】本発明の一実施形態を示すゲーム機用蝶番の斜視図である。
【図２】可動部材を開いた状態の同蝶番の斜視図である。
【図３】可動部材を開いた状態の同蝶番の正面図である。
【図４】別の角度から見た同蝶番の斜視図である。
【図５】固定部材と可動部材を分解した状態の斜視図である。
【図６】固定部材から第１補強部材を分解した状態の斜視図である。
【図７】別の角度から見た同固定部材の斜視図である。
【図８】可動部材から第２補強部材を分解した状態の斜視図である。
【図９】別の角度から見た同可動部材の斜視図である。
【図１０】第１補強部材の斜視図（ａ）と第２補強部材の斜視図（ｂ）である。
【図１１】固定部材の上突出支持部と可動部材の上突出板部の部分拡大斜視図である。
【図１２】固定部材の下突出支持部と可動部材の下突出板部の部分拡大斜視図である。
【図１３】蝶番の使用形態を示す閉鎖時の平面図（ａ）と開放時の平面図（ｂ）である。
【図１４】図２のＡ−Ａ線に対応した蝶番閉鎖時の断面図である。
【図１５】図２のＡ−Ａ線に対応した蝶番開放時の断面図である。
【図１６】他の実施形態のゲーム機用蝶番の斜視図である。
【図１７】可動部材を開いた状態の同蝶番の斜視図である。
【図１８】可動部材を開いた状態の同蝶番の正面図である。
【図１９】別の角度から見た同蝶番の斜視図である。
【図２０】固定部材と可動部材を分解した状態の同蝶番の斜視図である。
【図２１】固定部材から第１補強部材を分解した状態の斜視図である。
【図２２】可動部材から第２補強部材を分解した状態の斜視図である。
【図２３】他の実施形態の蝶番に使用される第１補強部材の斜視図（ａ）と第２補強部材の斜視図（ｂ）である。
【図２４】同蝶番の図１７のＢ−Ｂ線に対応した閉鎖時の断面図である。
【図２５】同蝶番の図１７のＢ−Ｂ線に対応した開放時の断面図である。
【発明を実施するための形態】
【００１９】
以下、本発明の実施の形態を図面に基づいて説明する。このゲーム機用蝶番は、スロットマシンなどのゲーム機の筐体側に固定される固定部材１とその前扉側に固定される可動部材１０とから構成され、図１，２に示すように、可動部材１０が上ピン３と下ピン７を軸に、固定部材１に対し回動して開閉される、脱着式の蝶番である。
【００２０】
固定部材１は、板状の縦長の固定取付板４の上端に、上突出支持部２が略水平に形成され、固定取付板４の下端に下突出支持部６が略水平に形成され、上突出支持部２の先端の下面に上ピン３が下向きに突設され、下突出支持部６の延設部上に下ピン７が上向きに突設されて構成される。
【００２１】
図１、２に示すように、固定部材１の上突出支持部２は鋼板を略コ字状に裁断して形成され、その先端に上ピン３を固定し、下突出支持部６は前方に延設部を設けて形成され、その延設部に下ピン７を固定し、これにより、上ピン３と下ピン７つまり蝶番の軸心位置を、筐体の前部左側面寄りに設定している。上ピン３と下ピン７の軸心位置は、縦長の固定取付板４の平面に沿った１本の軸線上に一致するようになっている。
【００２２】
また、略コ字状の上突出支持部２により、可動部材１０側の上突出板部１２に設けたストッパ１２ａが可動部材１０の回動時に上突出支持部２に当接するまで回動可能とされ、可動部材１０の回動可能な空間範囲を設定している。また、下突出板部１６には、可動部材１０が開動作をしたとき、その回動端で固定部材１の下突出支持部６の縁部に当接するように折曲縁部１６ａが下向きに突設され、この折曲縁部１６ａにより、可動部材１０の最大開放角度が略９０度と設定される。
【００２３】
さらに、固定取付板４の正面側の縁部には、当接壁部５が縁部を正面側に略直角に曲げるように形成され、この当接壁部５は、可動部材１０の可動取付板１１の閉鎖壁部１９に対し閉鎖時に当接し、固定部材１と可動部材１０間の隙間をなくした状態で、蝶番を閉じることができるようになっている。
【００２４】
可動部材１０は、図８、図９に示すように、縦長の可動取付板１１の上端に上突出板部１２を水平状に設け、可動取付板１１の下端に下突出板部１６を水平状に設け、図１１のように、上突出板部１２上には軸受部材１３を固定し、下突出板部１６には下軸受孔１７を穿設して構成される。上突出板部１２上に固定される軸受部材１３は、固定部材１側の上ピン３を嵌入させるために軸受孔１４を設けて形成され、図１１に示すように、軸受孔１４はその一部の側壁が切り欠かれ、その切欠き開口部から上ピン３を嵌めこみ、その状態で、回動部材１５により軸受孔１４の開口部を閉鎖する構造としている。
【００２５】
下軸受孔１７と軸受部材１３の軸受孔１４の軸心位置は、可動取付板１１の平面に沿った１本の軸線上に一致するように形成され、且つこの軸心位置つまり蝶番の軸位置は、可動部材１０の正面寄りで左側面寄りの角部に位置するように形成される。また、可動取付板１１の縁部には、固定部材１に対し可動部材１０を閉じる方向に回動させたとき、所定の回動位置で停止し、縁部を正面側に曲げた板部として、閉鎖壁部１９が縦方向に沿って形成される。
【００２６】
さらに、図１１に示す如く、軸受孔１４の切欠き開口部を閉じるために、上突出板部１２上に回動部材１５が回動軸１５ａを軸にして回動可能に軸支される。回動部材１５は、軸受孔１４の切欠き開口部を閉鎖する円弧部を有するとともに、その円弧部に続いて上ピン３を案内するためのピン案内部１５ｃを凹部状に設けて形成される。
【００２７】
さらに、可動部材１０を外す際、手動操作により容易に回動できるように、回動部材１５の端部にはレバー操作部１５ｄが設けられ、このレバー操作部１５ｄと軸受部材１３の端部間に、ばね部材１５ｂがかけられている。回動部材１５はこのばね部材１５ｂにより軸受孔１４の切欠開口部を閉じる方向に付勢され、上ピン３は、このばね部材１５ｂの付勢力に抗して回動部材１５を回動させながら、ピン案内部１５ｃに沿って、軸受部材１３の軸受孔１４内に進入するようになっている。
【００２８】
固定部材１の固定取付板４には、図６に示すように、第１補強部材８が縦方向に沿ってリベットなどで固定され、固定取付板４の強度を補強する構造となっている。第１補強部材８の補強部材本体８ａは、帯状の鋼板から形成され、その中間位置の３箇所に、間隔をおいて嵌合ピン８ｂが先端を内側に突出させてかしめ固定されている。
【００２９】
一方、可動部材１０の可動取付板１１には、図８に示すように、第２補強部材１８が縦方向に沿ってリベットなどで固定され、可動取付板１１の強度を補強する構造となっている。第２補強部材１８の補強部材本体１８ａは、帯状の鋼板を断面略Ｌ字状に曲折してアングル材状に形成され、その補強部材本体１８ａの中間位置の３箇所に、間隔をおいて嵌合孔部１８ｃが設けられる。アングル材状の補強部材本体１８ａの他の一面は、取付板１８ｂとして形成され、取付板１８ｂに複数の取付孔が設けられ、その取付孔を用いて第２補強部材１８は可動取付板１１の内側にリベット止めされる。
【００３０】
可動部材１０の第２補強部材１８は、蝶番の固定部材１と可動部材１０が組みつけられ、可動部材１０が閉鎖されたとき、つまり、可動部材１０が図２、図５のように、軸受孔１４を上ピン３に嵌合させ、下軸受孔１７を下ピン７に嵌合させて、固定部材１に組み付けられ、その状態で、固定部材１に対し閉鎖したとき、図１のように、第２補強部材１８の嵌合孔部１８ｃが固定部材１の第１補強部材８の嵌合ピン８ｂと嵌合する構造となっている。
【００３１】
そして、この第２補強部材１８の嵌合孔部１８ｃと固定部材１の第１補強部材８の嵌合ピン８ｂの嵌合状態は、図１４に示すように、固定部材１が固定される筐体２０と可動部材１０が固定される前扉２１間に生じる隙間にバールなどの不正器具を差し込んだとき、嵌合ピン８ｂの軸方向及び嵌合孔部１８ｃの厚さ方向が、その隙間を開く方向に対し直角方向となるようになっている。これにより、バールなどの不正器具を差し込まれてこじ開けようとしたとき、そのこじ開け力を嵌合ピン８ｂと嵌合孔部１８ｃ間で堅固に保持できる構造である。
【００３２】
上記構成の蝶番の固定部材１は、その固定取付板４に設けた取付孔と固定ねじを使用して、図１２、図１３に示すように、ゲーム機の筐体２０の内側の左側面に、その上突出支持部２と下突出支持部６を前方に出して固定される。
【００３３】
一方、蝶番の可動部材１０は、ゲーム機の前扉２１の内側の左側面に、その可動取付板１１とそこに穿設した取付孔及び固定ねじを用いて、その上突出板部１２と下突出板部１６を前扉２１の内側に入れた状態で、縦に固定される。
【００３４】
脱着式の本蝶番を介して筐体２０に前扉２１を開閉可能に組み付ける場合、先ず、前扉２１を持ち筐体２０に対し約４５度−約９０度開いた状態で、図１２のように、可動部材１０の下突出板部１６の下軸受孔１７を、筐体２０側の固定部材１の下突出支持部６の下ピン７に嵌め込む。下軸受孔１７は鋼板に穿設した孔であり、ピンと孔の嵌め合いには多少の間隙があるため、前扉２１は多少傾動可能である。
【００３５】
次に、その下突出支持部６の下ピン７を支点にして前扉２１を少し傾けながら、可動部材１０の上突出板部１２の軸受部材１３を、図１１のように、その固定部材１の上突出支持部２の上ピン３の近傍に近づけ、その上ピン３を上突出板部１２上の進入路に進入させ、回動部材１５のピン案内部１５ｃを上ピン３で押すように動かす。
【００３６】
これにより、上ピン３は、回動部材１５をばね部材１５ｂの付勢力に抗して回動させて、軸受孔１４を開くと共に、回動部材１５の回動によって開口した軸受孔１４内に滑るように進入する。そして、上ピン３が軸受孔１４内に嵌入した後、回動部材１５がばね部材１５ｂの付勢力で元の位置に戻り、軸受孔１４の切欠き開口部が閉鎖され、上ピン３は軸受部材１３の軸受孔１４に嵌合し、可動部材１０は固定部材１に対し回動可能に正常位置に支持される状態となる。
【００３７】
上述の如く、可動部材１０の下軸受孔１７を固定部材１側の下ピン７に嵌め、次に、下ピン７を支点にして前扉２１を少し水平方向に傾けながら、上突出板部１２上の軸受部材１３を、固定部材１の上ピン３に近づけ、上ピン３によって回動部材１５を回動させながら、軸受部材１３の軸受孔１４に上ピン３を滑り込ませるように嵌合させるため、上部蝶番と下部蝶番のピンと軸受部の嵌合を、前枠を持ちながら同時に行なう必要がなく、重量のある前扉２１を非常に簡単に、筐体２０に対し蝶番を介して取り付けることができる。
【００３８】
蝶番を介して開閉可能に取り付けられた前扉２１は、図１３（ａ）、図１４に示すように、その閉鎖位置では、固定部材１に固定した第１補強部材８の嵌合ピン８ｂが可動部材１０に固定した第２補強部材１８の嵌合孔部１８ｃに嵌合し、前扉２１と筐体２０の境界面は、嵌合ピン８ｂの軸方向と平行で第２補強部材１８の平面方向と直角つまり直交方向となる。
【００３９】
このため、前扉２１の上下左右方向及び前後方向への移動が、嵌合ピン８ｂと嵌合孔部１８ｃの嵌合により完全にロックされる。さらに、第１補強部材８が固定部材１を補強し第２補強部材１８が可動部材１０を補強しているので、筐体２０と前扉２１間の蝶番側の隙間をバール等な不正器具でこじ開けようとしても、第１補強部材８と第２補強部材１８の嵌合により開くことができず、バールなどによる不正解錠を効果的に防止することができる。
【００４０】
また、その閉鎖位置では、固定部材１の当接壁部５に可動部材１０の閉鎖壁部１９が当接して所定の閉鎖位置を確保するため、その当接によって筐体２０と前扉２１間の隙間を最小とすることができる。
【００４１】
一方、前扉２１を開放側に回動したときには、図１３（ｂ）、図１５のように、可動部材１０が上ピン３及び下ピン７を軸に開放側に回動して前扉２１が開放され、このとき、可動部材１０の上突出板部１２のストッパ１２ａが固定部材１の上突出支持部２の側部に当接した状態が回動端となって、この例では約９０度の最大開放角度が設定される。
【００４２】
図１６〜図２５は他の実施形態の蝶番を示している。この実施形態では、上記第１補強部材８に代えて、略コ字状の嵌合枠部３８ｂを突設した第１補強部材３８を使用し、上記第２補強部材１８に代えて、第１補強部材３８の嵌合枠部３８ｂが嵌合可能な方形孔部４８ｃを設けた第２補強部材４８を使用している。上記実施形態の蝶番と同様な部分については、図１６〜図２５に上記実施形態と同じ符号を付してその説明は省略する。
【００４３】
図２１に示すように、固定部材１の固定取付板４には、第１補強部材３８が縦方向に沿ってリベットなどで固定され、固定取付板４の強度を補強する構造となっている。第１補強部材３８の補強部材本体３８ａは、帯状の鋼板から形成され、その中間位置の３箇所に、間隔をおいて略コ字状の嵌合枠部３８ｂが内側に突出するように鋼板の一部を切り起こして形成されている。
【００４４】
一方、可動部材１０の可動取付板１１には、図２２に示すように、第２補強部材４８が縦方向に沿ってリベットなどで固定され、可動取付板１１の強度を補強する構造となっている。第２補強部材４８の補強部材本体４８ａは、帯状の鋼板を断面略Ｌ字状に曲折してアングル材状に形成され、その補強部材本体４８ａの中間位置の３箇所に、間隔をおいて方形孔部４８ｃが設けられる。方形孔部４８ｃは上記嵌合枠部３８ｂが嵌合可能な形状と大きさに形成される。アングル材状の補強部材本体４８ａの他の一面は、取付板４８ｂとして形成され、取付板４８ｂに複数の取付孔が設けられ、その取付孔を用いて第２補強部材４８は可動取付板１１の内側にリベット止めされる。
【００４５】
可動部材１０の第２補強部材４８は、蝶番の固定部材１と可動部材１０が組みつけられ、可動部材１０が閉鎖されたとき、つまり、可動部材１０が図１７、図２０のように、軸受孔１４を上ピン３に嵌合させ、下軸受孔１７を下ピン７に嵌合させて、固定部材１に組み付けられ、その状態で、固定部材１に対し閉鎖したとき、図１６のように、第２補強部材４８の方形孔部４８ｃが固定部材１の第１補強部材３８の嵌合枠部３８ｂと嵌合する構造となっている。
【００４６】
そして、この第２補強部材４８の方形孔部４８ｃと固定部材１の第１補強部材３８の嵌合枠部３８ｂの嵌合状態は、図２４に示すように、固定部材１が固定される筐体２０と可動部材１０が固定される前扉２１間に生じる隙間にバールなどの不正器具を差し込んだとき、嵌合枠部３８ｂの突出方向及び補強部材本体４８ａの厚さ方向が、その隙間を開く方向に対し直角方向となるようになっている。これにより、バールなどの不正器具を差し込まれてこじ開けようとしたとき、そのこじ開け力を嵌合枠部３８ｂと方形孔部４８ｃ間で堅固に保持できる構造である。
【００４７】
蝶番の固定部材１と可動部材１０を組み付ける場合、上記と同様に、下突出支持部６の下ピン７に可動部材１０の下軸受孔１７をはめ込み、その下ピン７を支点にして前扉２１を少し傾けながら、可動部材１０の上突出板部１２の軸受部材１３を、その固定部材１の上突出支持部２の上ピン３の近傍に近づけ、その上ピン３を上突出板部１２上の進入路に進入させ、回動部材１５のピン案内部１５ｃを上ピン３で押すように動かす。
【００４８】
これにより、上ピン３は、回動部材１５をばね部材１５ｂの付勢力に抗して回動させて、軸受孔１４を開くと共に、回動部材１５の回動によって開口した軸受孔１４内に滑るように進入する。そして、上ピン３が軸受孔１４内に嵌入した後、回動部材１５がばね部材１５ｂの付勢力で元の位置に戻り、軸受孔１４の切欠き開口部が閉鎖され、上ピン３は軸受部材１３の軸受孔１４に嵌合し、可動部材１０は固定部材１に対し回動可能に正常位置に支持される状態となる。
【００４９】
蝶番を介して開閉可能に取り付けられた前扉２１は、図２４に示すように、その閉鎖位置では、固定部材１に固定した第１補強部材８の嵌合枠部３８ｂが可動部材１０に固定した第２補強部材４８の嵌合孔部４８ｃに嵌合し、前扉２１と筐体２０の境界面は、嵌合枠部３８ｂの厚さ方向と平行で第２補強部材４８の補強部材本体４８ａの平面方向と直角つまり直交方向となる。
【００５０】
このため、前扉２１の上下左右方向及び前後方向への移動が、嵌合枠部３８ｂと方形孔部４８ｃの嵌合により完全にロックされる。さらに、第１補強部材３８が固定部材１を補強し第２補強部材４８が可動部材１０を補強しているので、筐体２０と前扉２１間の蝶番側の隙間をバール等な不正器具でこじ開けようとしても、第１補強部材３８と第２補強部材４８の嵌合により開くことができず、バールなどによる不正解錠を効果的に防止することができる。
【００５１】
なお、第１補強部材８の嵌合ピン８ｂや第１補強部材３８の嵌合枠部３８ｂのほか、各種の形状の突起部を嵌合部として設けてもよく、第２補強部材１８の嵌合孔部１８ｃや第２補強部材４８の方形孔部４８ｃのほか、各種形状の開口孔部を嵌合部として設けることもできる。第１補強部材８，３８、第２補強部材１８、４８の固定は、上記リベット止めのほか、かしめ固定や溶接など他の固定手段を用いて固定することもできる。
【符号の説明】
【００５２】
１      固定部材
２      上突出支持部
３      上ピン
４      固定取付板
５      当接壁部
６      下突出支持部
７      下ピン
８      第１補強部材
８ａ    補強部材本体
８ｂ    嵌合ピン
１０    可動部材
１１    可動取付板
１２    上突出板部
１２ａ  ストッパ
１３    軸受部材
１４    軸受孔
１５    回動部材
１５ａ  回動軸
１５ｂ  ばね部材
１５ｃ  ピン案内部
１５ｄ  レバー操作部
１６    下突出板部
１６ａ  折曲縁部
１７    下軸受孔
１８    第２補強部材
１８ａ  補強部材本体
１８ｂ  取付板
１８ｃ  嵌合孔部
１９    閉鎖壁部
２０    筐体
２１    前扉
３８    第１補強部材
３８ａ  補強部材本体
３８ｂ  嵌合枠部
４８    第２補強部材
４８ａ  補強部材本体
４８ｂ  取付板
４８ｃ  方形孔部
【図１】
0005681081.tif 000002
【図２】
0005681081.tif 000003
【図３】
0005681081.tif 000004
【図４】
0005681081.tif 000005
【図５】
0005681081.tif 000006
【図６】
0005681081.tif 000007
【図７】
0005681081.tif 000008
【図８】
0005681081.tif 000009
【図９】
0005681081.tif 000010
【図１０】
0005681081.tif 000011
【図１１】
0005681081.tif 000012
【図１２】
0005681081.tif 000013
【図１３】
0005681081.tif 000014
【図１４】
0005681081.tif 000015
【図１５】
0005681081.tif 000016
【図１６】
0005681081.tif 000017
【図１７】
0005681081.tif 000018
【図１８】
0005681081.tif 000019
【図１９】
0005681081.tif 000020
【図２０】
0005681081.tif 000021
【図２１】
0005681081.tif 000022
【図２２】
0005681081.tif 000023
【図２３】
0005681081.tif 000024
【図２４】
0005681081.tif 000025
【図２５】
0005681081.tif 000026